(57)【要約】【課題】  肌の冷却マッサージを手軽に行え、冷却美容法を広く普及させることができる美容用具、美容器具及び美容方法を提供する。【解決手段】  液体を吸収させた液体吸収部材５と、手持部と、該手持部の一端部に設けられ前記液体吸収部材５を保持する保持部４とを備え、この保持部４は、貫通孔によって形成された空間７に入り込んだ液体と、液体吸収部材５に吸収させた液体とが一体となって固化することで、この液体吸収部材５を保持する。【選択図】  図１
2006043443.tif 000002
【特許請求の範囲】
【請求項１】
液体を吸収させた部材を肌に接触させる美容法に用いる美容用具であって、
手持部と、該手持部の一端部に設けられ前記液体吸収部材を保持する保持部とを備え、
この保持部は、前記液体吸収部材に吸収させた液体の一部が入り込み若しくは滞留する空間を形成する貫通孔、凹部若しくは凸部の何れかを有する
ことを特徴とする美容用具。
【請求項２】
請求項１記載の美容用具であって、
前記保持部は扁平形状をなすことを特徴とする美容用具。
【請求項３】
請求項１又は２の美容用具であって、
前記保持部は、前記空間に入り込んだ若しくは滞留した液体と前記液体吸収部材に吸収させた液体とが凍結して固化することによって、前記液体吸収部材を一体化して係止可能であることを特徴とする美容用具。
【請求項４】
請求項１〜３のいずれか一項記載の美容用具と、この美容用具の保持部によって保持される液体吸収部材とを備えた美容器具である。
【請求項５】
請求項４記載の美容器具であって、
前記保持部は、単一又は複数の液体吸収部材、袋状の液体吸収部材若しくは折り畳んだ液体吸収部材によって略全体が被覆されることを特徴とする美容器具。
【請求項６】
請求項４記載の美容器具であって、
前記保持部は２以上の面を有し、各面に異なる液体を吸収させた液体吸収部材、若しくは異なる形状・材質・大きさの液体吸収部材を夫々保持させることを特徴とする美容器具。
【請求項７】
請求項４〜６のいずれか一項記載の美容器具を利用して、液体を吸収させた部材を肌に接触させる美容方法であって、
任意の液体を吸収させた液体吸収部材を前記美容器具の保持部に密着させることで、吸収させた液体の一部を、前記貫通孔、凹部若しくは凸部によって形成された空間に入り込ませ若しくは滞留させる工程と、
前記液体吸収部材及び保持具を冷却して、前記一部の液体と、液体吸収部材に残留した液体とを連結して固化させて、この液体吸収部材を保持部に強固に保持させる工程と、
液体吸収部材を肌に接触させて施術する工程と
を備えたことを特徴とする美容方法。
【発明の詳細な説明】
【技術分野】
【０００１】
本発明は、液体を吸収させた部材を肌に接触させる美容法に用いる美容用具、美容器具及び美容方法に関するものである。
【背景技術】
【０００２】
従来より、美意識の高い女性達、モデルや女優などの容姿が重視される職業に従事する人達、皮膚疾患患者達の間で、肌の引き締めや血行促進、炎症の鎮静化等のために、冷水や氷水で洗顔したり、氷や保冷材を直接肌に当てる美容方法（マッサージ、美容療法、医療行為等も含む。以下同様）が知られている。
【０００３】
このような美容方法は、冷水や氷、保冷材が直接手に触れるため、冬季などに何度も繰り返したり長時間継続することは困難である。また、氷を手に持ってマッサージする場合は、手の体温で氷がすぐに解けてしまい、解けた水分が手や腕に流れてきたり衣服に滴り不快であると共に、氷が滑り落ちやすいなどの問題がある。この点について、以下の特許文献６のように、水を張った製氷箱にハンドルの先端を浸して凍結させハンドルと氷とを一体化させた美容用具も提案されている。この美容用具は、氷を直接手に持つ必要はないが、氷を肌に直接当てることに変わりはないため、氷が解け易く、解けた水分が顔を流れて来るため不快であると共に、長時間の使用には馴染まない。
【０００４】
また、保冷材は肌の上の滑りが良くないため、肌の上を滑らせながら冷却美容を行うことは難しい。特に、冷たさを緩和するため布などで保冷材を被覆した場合は、冷却効果が減殺されるとともに、肌の上の滑りがより悪化する。さらに、冷却美容法は、毛穴が開きやすい鼻やその周囲をマッサージするとより効果的であるが、上記保冷材を利用する場合には、密閉容器が一般的に厚みのある板状や球状で形成されているため、鼻の周囲のような細部に保冷材をフィットさせることが困難である。
【０００５】
また、化粧水などを冷蔵庫などで冷却してからパッティングする方法もあるが、瞬間的なひんやり感はあるものの、体温や気温ですぐに化粧水が温まってしまうため、引き締め効果は弱い。さらに、指の動きにより化粧水を含ませたコットンパフ等がすぐに型崩れしたり毛羽立ちしやすく、蒸発も早いため、十分な保湿効果を得られない。
【０００６】
また、特許文献１、３、７のように、冷凍・冷却した保冷材等で顔を覆う美容器具は、鼻の周囲のような細部の局所的なマッサージは行えないし、美容器具を保持するために仰向け等の姿勢を維持しなくてはならず手軽さの点で問題がある。
【０００７】
さらに、特許文献４、５のように、ペルチェ素子等で冷却した冷却部を肌に当てる美顔器も提案されているが、この種の美顔器は上記した氷や保冷材に比べて重く大きいため、片手で保持して長時間使用するのは容易ではない。また、この種の美顔器は水分を保持できないため、肌の上の滑りが悪く、肌の弱い人が長時間使用すると逆に肌を痛めるおそれがある。さらに、冷却効果を高めるために冷却板を金属製にした場合には、金属アレルギー等を引き起こすおそれもある。
【特許文献１】特開２００３−２９９６８８号公報
【特許文献２】特開２００２−２０９６３２号公報
【特許文献３】特開平０６−０６３０６９号公報
【特許文献４】特開平０５−２３７１４７号公報
【特許文献５】特開平０４−０９２６６３号公報
【特許文献６】実登３００４２８６号公報
【特許文献７】実開平０４−０３２７１４号公報
【発明の開示】
【発明が解決しようとする課題】
【０００８】
以上のような問題があるため、上記した美容方法は、肌に良いことは知られているものの、一般の人々が日常的に行う美容法としては普及していないのが現状である。本発明は、上記した問題を解決することで、肌の冷却美容を手軽に行え、上記美容方法を広く普及させることができる美容用具、美容器具及び美容方法を提供することを目的とする。
【課題を解決するための手段】
【０００９】
本発明によれば、液体を吸収させた部材を肌に接触させる美容法に用いる美容用具であって、手持部と、該手持部の一端部に設けられ前記液体吸収部材を保持する保持部とを備え、この保持部は、前記液体吸収部材に吸収させた液体の一部が入り込み若しくは滞留する空間を形成する貫通孔、凹部若しくは凸部の何れかを有することを特徴とする美容用具と、この美容用具及び前記液体吸収部材を備えた美容器具と、この美容器具を利用した美容方法とが夫々提供される。
【発明の効果】
【００１０】
本発明によれば、主に手持部の一端に設けた保持部の貫通孔、凹部若しくは凸部を利用することによって、水、化粧水、美容液などの液体を吸収させた部材を保持できるので、液体に直接手を触れずに上記した冷却美容を施すことができる。そのため、施術に際して使用者が冷たさを我慢する必要がなく、液体の温度が手の体温で上がることもない。また保持部にも液体が入り込むため、より多くの液体を留め、十分に肌を保湿できる。
【００１１】
特に、液体を冷凍・冷却して固化して使用する場合には、液体吸収部材に含ませた液体の一部が保持部の空間に進入したり滞留した状態で、この液体吸収部材に残存した液体と連結して固化するので、液体吸収部材を保持部（美容用具）に強固に係止できる。また、常温の液体に比べて肌の引き締め効果がより向上し、蒸発もしにくいため、長い時間に亘って肌を冷却しながら徐々に塗布することができる。
【００１２】
さらに、液体を単独で冷凍・冷却するのではなく、液体吸収部材ごと冷凍等させることにより、積もりたての新雪に頬ずりするような、爽快な使用感を与えることができる。さらに、肌の体温で徐々に解け出した液体が潤滑剤の機能を発揮し、液体吸収部材と肌との滑りが良くなるため、肌への刺激を最小限に抑えると共に、液体吸収部材の劣化や接触面の形態変化を最小限にとどめることができる。また、解け出した液体の一部は液体吸収部材が再度吸収するため、結果的に、液体を少量ずつ肌に馴染ませることができ、解けた液体が流れ落ちることも有効に防止できる。そのため、１の液体吸収部材を使って比較的長い時間にわたって肌冷却や保湿などを行うことができる。このように、液体を冷凍等させた場合には、液体吸収部材に含ませた液体自身が保持部との係止部材として機能すると同時に、美容効果や使い勝手も向上させることができるので極めて好適である。
【００１３】
また、本発明の美容用具及び美容器具は、電気等を用いないため電磁波等の悪影響もなく、肌に直接触れる部分は化粧用のコットンパフ等の液体吸収部材を使用できるため金属アレルギー等の心配もないなど、安全で手軽に冷却美容を行うことができる。
【００１４】
さらに、氷をそのまま滑らす時と違い、液体吸収部材の適度な摩擦抵抗によって滑り過ぎが抑えられるので、頬や目じりなどの肌を下から上に引き上げることができ、肌のたるみの予防や改善も期待できる。
【発明を実施するための最良の形態】
【００１５】
以下本発明の実施の形態について図面に示す実施例に従って説明する。
【実施例１】
【００１６】
図１は本発明の一実施例に係る美容器具の分解斜視図、図２は断面図、図３は保持部の一面（下側）に液体吸収部材を取り付けた状態の平面図である。この美容器具１は、棒状の手持部３及びこの手持部３の一端に一体的に設けた平板状の保持部４からなる器具本体（美容用具）２と、前記保持部４の両面に一時的に係止される楕円形状の液体吸収部材５とから構成される。
【００１７】
前記手持部３は、使用者の体温が保持部４や液体吸収部材５に伝わりにくいように、木材、ゴム、合成樹脂などの熱伝導率が低い材質で形成される。加熱、冷凍にも耐える素材が好ましい。この手持部３は、球状、筒状、枠状、表面に凹凸を有するものなど、種々の形状に形成できる。また、抗菌剤などでコーティングしたり、内部空間に芳香剤等を収納することもできる。
【００１８】
前記保持部４は、楕円形の金属などの熱伝導率が高い素材や樹脂等で形成され、図中に破線で示す挿入端部４ａを手持部３に挿入した状態で接着・螺着等することで、この手持部３と一体化される。この保持部４としては、板状、球状、棒状、多面体、回転可能なローラー状のもの、抗菌効果のあるもの、ゲルマニウムやチタン等の人体に良好な効果が期待できるものを適宜採用可能である。手持部３と保持部４とを着脱自在に形成し、後述する液体冷凍時は保持部４と液体吸収部材５だけを冷却し、美容器具１の使用時に組み立てるようにしてもよい。これにより、冷却用に広いスペースを必要とせず、また何れかの部品が劣化等した場合に交換も容易となる。さらに、着脱可能にすることにより、個人毎や使用する液体の種類毎に取り替えたいという要請にも応えられると共に、形状や大きさなどが異なる複数の保持部４を使用する部位や目的に応じて使い分けることも可能になる。
【００１９】
本美容器具は箱型の容器もしくは美容器具の外形に相似するくぼみを有する容器、あるいは袋、シート等、美容器具を冷凍庫内の乾燥等から保護するもの等に入れて保存、冷凍するのが望ましいが、それらの容器の素材、形状は樹脂素材、長方形型等の他適宜採用又は選択可能であり、そのまま冷凍することも可能である。美容用具の大きさ、形状は多種あり、それを納入する容器類もそれに伴い、また複数個を一度に保存・冷凍したり、それらをまとめて納入する容器類でも構わない。
【００２０】
前記保持部４には、多数の貫通孔６が穿設されている。この貫通孔６は、例えば保持部４の長径が約５ｃｍであれば、直径１〜６ｍｍ程度の円形に形成する。貫通孔６の形状、大きさ、数、配置などは溝状のものを含め適宜変更できる。例えば内部が拡径したり他の貫通孔と連通させることも可能である。保持部４の両面に液体吸収部材５を密着させ上面の液体吸収部材５ａに吸収させた液体の一部をこの貫通孔６によって形成される空間７に進入させた状態で美容器具１を冷却することで、各空間７内に充填された液体と、保持部４の上部の液体吸収部材５aに残留した液体と、下部の液体吸収部材５ｂに吸収された液体とが冷却・凍結・膨張等して一体となって固化（強度の粘化やゲル化などを含む）し、液体吸収部材５が保持部４に強固に係止される。なお、有底の凹部によって空間を形成してもよい。
【００２１】
液体吸収部材５に含ませる液体としては、水や化粧水、美容液、ファンデーションなどの他、美容効果、美肌効果、化粧効果等が得られる種々の液体を単独で若しくは組み合わせて使用できる。また、常温では固体若しくは粘性の高い流動体の物質でも、体温程度に加熱することで液化したり、粘性が低下する物質であれば採用可能である。この場合は、加熱して液体吸収部材５に吸収させた後に常温に戻すことで、液体が冷却・固化して保持部４に液体吸収部材５が保持される。使用時には、液体吸収部材５が肌に触れることで、固化した物質が体温で徐々に解け出して肌に塗布される。
【００２２】
前記液体吸収部材５は、適度に液体を保持可能な素材・構成からなり、肌に直接接触させるものであるため、アレルギーの原因にならず、肌への刺激が少なく、かつ衛生的な材質が選択される。例えば、従来から化粧用に広く利用されている綿や絹、繭等の天然素材からなるパフ、医療用のガーゼ、不織布、スポンジ等の弾力素材、肌の汚れを深部からふき取りやすくするマイクロファイバー（超極細繊維）を使用したクロス、その他、肌上を滑らすことで美容・治療効果がある素材を適宜採用できる。また、これらの素材に、コラ−ゲン、ハ−ブエキス、オリ−ブ油等の動植物抽出成分、芳香成分、酸や酸性成分、コエンザイムQ10やビタミン等の栄養成分、プラセンタ、ヒアルロン酸等の美肌成分、トルマリン、ゲルマニウム等の鉱物、炭、マイナスイオンを発生するもの、などを配合して美容効果をさらに高めることもできる。
【００２３】
また、この液体吸収部材５の形状は、肌への刺激が少なく、保持部４への密着性やこの部材５同士の密着性などを考慮して、前記保持部４よりもやや大きい楕円形状若しくは円形状に形成している。図２に示すように、液体吸収部材５の端部５a、５a同士を密着させることで、この端部５a、５a同士を密着状態で固化させることができ、より保持部４から外れにくくなる。一例として、保持部４の長径が５ｃｍ、短径が３ｃｍの楕円形である場合は、液体吸収部材５を直径４〜８ｃｍの円形または楕円形で形成する。また、液体吸収部材５の厚さは、液体を吸収させる前の状態で４〜６ｍｍ程度が好ましい。液体吸収部材５の形状、大きさ及び厚みは、吸収させる液体の種類や量、使用したい部位などに応じて適宜変更できる。さらに、保持部４の両面に異なる形状・材質の液体吸収部材５を保持させることもできる。また、長い帯状の液体吸収部材５を保持部４に幾重に巻き付けるように保持させたり、大型の液体吸収部材５を２つ折りにして保持部４を挟み込むようにしたり、一端部に開口を有する袋状の液体吸収部材５を保持部４に被せて保持することも可能である。さらに、同一の若しくは異なる形状の複数の液体吸収部材５を積層したり、並置して使用しても良い。最初から保持部４を液体吸収部材５で覆ってあるものの他、最初から液体吸収部材５に水、化粧水、美容液等の液体をしみこませてあるもの、その液体をしみこませてある液体吸収部材５で保持部４を覆ったもの等、液体吸収部材５や保持部４の状態も様々この他にもありうる。袋状のものの場合は、開口部８より着脱することが好ましい。
【００２４】
本実施形態では、保持部４の両面に夫々異なる液体を吸収させた液体吸収部材５を保持できるようにしている。例えば、一面側には水を含ませ、多面側には化粧水や美容液等を含ませることで、保持部４の面を切り替えながら、異なる美容効果を簡単に得ることができる。
【００２５】
このように構成された美容器具１の使用方法を以下に説明する。なお、以下においては、液体吸収部材５に吸収させた液体を冷凍させる場合を説明するが、冷却する温度は液体の性質などに応じて適宜調節する。
【００２６】
まず、適当な大きさ・厚みの液体吸収部材５と液体とを用意する。この液体を液体吸収部材５に吸収させてから、水分の表面張力を利用して美容器具本体２の保持部４の両面に夫々密着させる。なお、液体吸収部材５を保持部４の所定位置に位置決めしてから液体を滴下して吸収させても良い。
【００２７】
この時、液体の量が多すぎると、冷凍した場合に下側の液体吸収部材５の下面に集中して液体吸収部材５の表面の滑らかさが低下したり、美容器具１の周囲に液体が漏れ出てしまうおそれがある。そのため、冷凍する前に、液体が液体吸収部材５から滴り落ちない程度に絞って量を調整するのが好ましい。また、保持部４よりも大きい液体吸収部材５を使用する場合は、保持部４からはみ出た液体吸収部材５の端部５a、５a同士を指などで押さえて密着させたり、端部５aを保持部４の反対面側に折り曲げて密着させる。これにより、保持部４の周縁部全体が液体吸収部材５で被覆されることになり、保持部４の上下の広い面と周縁部とを目的や部位に応じて使い分けることができる。例えば、鼻の周囲などの凹凸がある狭い部分や局所的に冷却したい部分には保持部４の周縁部を使用すると好適である。
【００２８】
次いで、この美容器具１を冷蔵庫の冷凍室や冷凍庫内に置いたり、ドライアイスなどの冷却材に近接させるなどして氷点下の雰囲気に一定時間置いて液体を冷凍（固化）する。この時、液体の片寄りや、液体吸収部材５の変形、液体の乾燥、匂い移りなどを防ぐため、液体吸収部材５が略水平になるように向き・位置を固定して簡単に密閉できるケースや箱、袋などにこの美容器具１を収納するのが好ましい。なお、上記したように、保持部４を手持部３から着脱自在に構成することで、冷凍用のケースや箱を小型化したり、一度に複数の保持部４を冷凍することができる。
【００２９】
上側の液体吸収部材５に吸収させた液体は、凍結するまでの間に、保持部４の多数の貫通孔６によって形成された空間７に徐々に進入していき、下側の液体吸収部材５まで到達する。この状態で凍結が進み、貫通孔６内の液体と上下の液体吸収部材５に夫々残留している液体とが一体化するため、液体吸収部材５が保持部４に確実に係止される。冷凍時間は１〜３時間程度で十分であるが、外気温や冷凍室内の温度、液体の量や種類、使用者の好みなどによって適宜調整する。
【００３０】
このようにして冷却された美容器具１を冷凍室から取り出し、液体吸収部材５の表面が霜や氷でざらついている場合には数十秒から数分間室温に放置する。液体吸収部材５の表面が滑らかになったことを確認してから、手持部３を持って液体吸収部材５を洗顔後の清潔な肌に滑らせたりパッティングして冷却美容を施す。特に、毛穴の開きが気になる部分や引き締めたい場所を念入りに行う。
【００３１】
このように、液体吸収部材５に含ませた液体を冷凍することにより、積もりたての新雪に頬ずりするような良好な触感と爽快な使用感を与えることができる。また、肌の体温で徐々に解け出した液体が潤滑剤の機能を発揮し、液体吸収部材５と肌との滑りが良くなるため、肌への刺激を最小限に抑えると共に、液体吸収部材５が毛羽立ったり変形することを最小限にとどめることができる。さらに、解け出した液体の一部は液体吸収部材５が再度吸収できるため、結果的に、液体を少量ずつ肌に馴染ませることができ、解けた液体が流れ落ちることも有効に防止できる。そのため、前記液体吸収部材を使って比較的長い時間にわたって冷却美容を施すことができる。
【００３２】
また、液体を冷凍させることで、液体吸収部材５に含ませた液体自身が保持部４との係止部材として機能すると共に、美容効果や使い勝手も向上させることができる。また、多数の空間７内の氷によって保持部４及び液体吸収部材５の保冷効果も長時間持続することになる。本発明者の計測によれば、この実施例の美容器具１では、常温下で７分以上の冷却美容が可能であった。
【００３３】
この美容器具１を使用する前に、入浴やお湯で洗顔したり、蒸しタオル等で肌を蒸して肌を温めて毛穴を開かせて汚れを除去しておくのが効果的である。このような清潔にした肌に美容器具１を使用することで、鼻やその周囲等の細部を含めた顔全体を効果的に冷却及び保湿できる。また、温冷刺激により血行を促進して新陳代謝を活発にすることで、シミ、シワ、クスミ、タルミ等の肌の老化予防や改善、毛穴や肌の引き締めを効果的に行うことが可能になる。この温冷刺激を反復して行うことにより、さらに効果的な血行促進も可能である。
【００３４】
また、本実施形態の美容器具１は、小型・軽量に形成できるため収納や携帯にも便利である。さらに、含ませる液体を美容目的や気候、気分などに応じて自由に選択できるので、本来の美容目的に加えて、ストレス解消、精神的なリフレッシュ、夏季や日焼け時のクールダウンなどのために利用することもできる。
【実施例２】
【００３５】
次に、図４を参照して、本発明の第２の実施例を説明する。なお、上記した実施例１と同一の構成には同一の符号を付して説明は省略する。
【００３６】
この実施例の美容器具１０は、液体吸収部材５を保持する保持部１４を上下の保持部材１４ａ、１４ｂを積層した構造とし、上層の保持部材１４ａには複数の小径の貫通孔１６ａ、１６ａを穿設し、下層の保持部材１４ｂには貫通孔１６ａよりも大径の複数の有底の穴１６ｂを穿設し、貫通孔１６ａによって形成される空間１７ａと穴１６ｂによって形成される空間１７ｂとが少なくとも一部で連通するようにした点に特徴を有する。このような構成において、保持部１４（上層の保持部材１４ａ）に図に一点鎖線で示す液体吸収部材５に液体を吸収させて冷却することで、液体が空間１７ａ、１７ｂに徐々に進入して固化する。これにより、これらの空間１７ａ、１７ｂに入り込んだ液体と、上部の液体吸収部材５に残留している液体とが一体化された状態で固化するため、液体吸収部材５が保持部１４に強固に係止される。なお、上層の保持部材１４ａの貫通孔１６ａと、下層の保持部材１４ｂの穴１６ｂとを略同径に形成したり、貫通孔１６ａ及び／若しくは穴１６ｂを長尺の溝に形成したり、さらに、貫通孔１６ａと穴１６ｂの形状を異ならせても良い。
【実施例３】
【００３７】
次に、図５を参照して、本発明の第３の実施例を説明する。なお、上記した実施例１、２と同一の構成には同一の符号を付して説明は省略する。図５（Ａ）は、本実施形態に係る美容器具２０の平面図、図５（Ｂ）は、図５（Ａ）のＸ−Ｘ線断面図である。
【００３８】
この実施例の美容器具２０は、保持部２４の略全面に上下に延びる複数の溝２６ａ、２６ｂを形成し、図５（Ｂ）に示すように、これらの溝２６ａ、２６ｂを、異なる方向に傾斜させて穿設した点に特徴を有する。図示の例では、溝２６ａ、２６ｂの一部を有底とし、他を裏面まで貫通して形成している。また、紙面右側の４本の溝２６ａと同左側の４本の溝２６ｂとで穿設する方向を異ならせているが、穿設方向をランダムに変えてもよい。また、溝２６を横長（紙面の左右方向）にしたり、縦横の溝を混在させてもよい。このような構成によっても、上記した実施例１、２と同様に、各溝２６ａ、２６ｂによって形成される空間２７ａ、２７ｂに液体が入り込んで凍結することで、保持部２４に液体吸収部材５を強固に係止したり、保冷や保湿などの時間をより持続させることができる。
【実施例４】
【００３９】
次に、図６を参照して、本発明の第４の実施例を説明する。なお、上記した実施例１〜３と同一の構成には同一の符号を付して説明は省略する。図６（Ａ）は、本実施形態に係る美容器具３０の平面図、図６（Ｂ）は、図６（Ａ）のＹ−Ｙ線断面図である。
【００４０】
この実施例の美容器具３０は、保持部３４の左右の端部に紙面上下方向に延びる突条３６、３６を夫々形成すると共に、大型の液体吸収部材３５を左右に折り畳んで保持部３４の全体を被覆するようにした点に特徴を有する。前記突条３６は、図６（Ｂ）に示すように、先端が内側に向かって屈曲しているため、保持部３４の平板面との間に液体吸収部材３５に吸収させた液体が滞留する空間３７が形成される。この突条３６は、保持部３４の成形時に射出成形等によって一体形成したり、別体の突条部材を溶着等することで保持部３４に一体化する。
【００４１】
前記液体吸収部材３５に液体を吸収させて保持部３４を被覆するように密着させると、前記滞留空間３７に液体の一部が溜まってくる。この液体と液体吸収部材３５の残留液体とが凍結して一体化すると、凍結した液体が前記突条３６の先端に係止されるため、液体吸収部材３５が保持部３４に確実に保持されることになる。また、折り曲げた液体吸収部材３５の端部３５ａ、３５ａ同士も凍結によって一体化されるため、より強固に係止される。
【実施例５】
【００４２】
次に、図７を参照して、本発明の第５の実施例を説明する。なお、上記した実施例１〜４と同一の構成には同一の符号を付して説明は省略する。
【００４３】
この実施例の美容器具４０は、保持部４４の中央に液体吸収部材５を勘合可能な凹部４６を形成すると共に、この凹部４６の上端縁４６ａ、４６ａを内側に張り出させたオーバーハング状に形成した点に特徴を有する。このような構成において、液体吸収部材５の下部を指で収縮させながら凹部４６に嵌め込み、指を離すと収縮させていた部分が復元して凹部４６内に広がる。次いで、液体吸収部材５に液体を吸収させると、凹部４６の上端縁４６ａの下部に形成される空間４７（拡大図参照）に液体吸収部材５から液体が染み出して滞留する。この状態で美容器具４０を冷却すると、前記空間４７内に滞留した液体と液体吸収部材５に残留した液体とが凍結して一体化する。凹部４６の上端縁４６ａはオーバーハング形状になっているため、液体吸収部材５が確実に係止される。
【００４４】
（変形例）
本発明は上記した各実施例に限定されず、発明の要旨を変更しない範囲で種々の変形が可能である。
【００４５】
例えば、図８に示すように、保持部５４を、２つの円を連結して夫々の円の中心に大径の貫通孔５６を穿設した８の字状に形成してもよい。この場合は、図８（Ｂ）に示すように、液体吸収部材５５も２つの円を連結したひょうたん型に形成するのが好ましい。この貫通孔を有底の凹部にし、それによってできる夫々の空間５６、５６及び液体吸収部材５５に異なる液体を滞留させて使用してもよい。また、上記した複数の実施例や変形例の構成を適宜組み合わせることも可能である。
【００４６】
また、液体吸収部材の一部が、保持部に接着や挟持などされることで、液体を固化させる前に予め固定されていてもよい。この場合の液体吸収部材は繰り返しの使用に耐える素材で形成するのが好ましい。
【００４７】
さらに、上記においては美容器具（美容用具）及び美容方法として説明したが、本発明の適用分野は「美容」の文言に拘泥されない。例えば、本発明は、皮膚疾患の治療や予防、術後の皮膚の再生や美容整形などの医療分野やその周辺分野においても好適に利用可能であり、医療器具や化粧用器具等として利用することもできる。
【産業上の利用可能性】
【００４８】
本美容用具は、美しく健康的な美肌を望む女性達だけでなく、男性からのニーズも多く、
スポーツや日焼け後のクールダウン、リフレッシュの他、ニキビやアトピー、ほてり等の
皮膚疾患等の改善のための医療用具としても活躍する可能性があり、老若男女問わず、万
国共通で利用可能なものである。
【図面の簡単な説明】
【００４９】
【図１】本発明の第１の実施例に係る美容器具の分解斜視図である。
【図２】同、部分断面図である。
【図３】同、平面図である。
【図４】本発明の第２の実施例に係る美容器具の部分断面図である。
【図５（Ａ）】本発明の第３の実施例に係る美容器具の平面図である。
【図５（Ｂ）】本発明の第３の実施例に係る美容器具の横断面図である。
【図６（Ａ）】本発明の第４の実施例に係る美容器具の要部平面図である。
【図６（Ｂ）】本発明の第４の実施例に係る美容器具の要部横断面図である。
【図７】本発明の第５の実施例に係る美容器具の部分断面図である。
【図８（Ａ）】本発明の変形例に係る美容器具の縦断面図である。
【図８（Ｂ）】本発明の変形例に係る美容器具の液体吸収部材である。
【図９】本発明のさらに他の変形例に係る美容器具の縦断面図である。
【図１０】本発明の液体吸収部材の他の例である。
【図１１】本発明の液体吸収部材のさらに他の例である。
【符号の説明】
【００５０】
１、１０、２０、３０、４０、５０、６０  美容器具
２、２１  美容器具本体
３  手持部
４、１４、２４、３４、４４、５４，６４  保持部
４ａ  挿入端部
５、３５、５５、６５，７５、８５  液体吸収部材
６、１６ａ、５６、６６  貫通孔
７、１７ａ、１７ｂ、２７ａ、２７ｂ、３７、４７  空間
８  開口部
１４ａ、１４ｂ  保持部材
１６ｂ  穴
２６、２６ａ、２６ｂ  溝
３６  突条
４６  凹部
４６ａ  上端縁
【図１】
2006043443.tif 000003
【図２】
2006043443.tif 000004
【図３】
2006043443.tif 000005
【図４】
2006043443.tif 000006
【図５（Ａ）】
2006043443.tif 000007
【図５（Ｂ）】
2006043443.tif 000008
【図６（Ａ）】
2006043443.tif 000009
【図６（Ｂ）】
2006043443.tif 000010
【図７】
2006043443.tif 000011
【図８（Ａ）】
2006043443.tif 000012
【図８（Ｂ）】
2006043443.tif 000013
【図９】
2006043443.tif 000014
【図１０】
2006043443.tif 000015
【図１１】
2006043443.tif 000016